(57)【要約】【課題】静電気に対する搭載部品の保護性能の向上を図る。【解決手段】点灯装置１００は、外部電源ＡＣから入力電力を受け取る一対の入力端子と、入力電力を所望の直流電力に変換する電力変換回路と、直流電力を光源に供給する一対の出力端子と、調光レベルを指示する調光信号を外部装置から受け取る調光信号入力回路と、調光信号で指示される調光レベルに従って電力変換回路を制御して直流電力を調光レベルに応じた値に調整する制御回路と、一対の入力端子、電力変換回路、一対の出力端子、調光信号入力回路、及び制御回路を形成したプリント回路板８００と、を備える。点灯装置１００は、プリント回路板８００において調光信号入力回路（第１回路部品８１１）と制御回路（第２回路部品８１２）との間に形成された、導体８２６からなるサージ吸収部を備える。【選択図】図１
2018166070.tif 000002
【特許請求の範囲】
【請求項１】
外部電源から入力電力を受け取るよう構成される一対の入力端子と、
前記入力電力を所望の直流電力に変換するよう構成される電力変換回路と、
前記直流電力を光源に供給するよう構成される一対の出力端子と、
調光レベルを指示する調光信号を外部装置から受け取るよう構成される調光信号入力回路と、
前記調光信号で指示される前記調光レベルに従って前記電力変換回路を制御して前記直流電力を前記調光レベルに応じた値に調整するよう構成される制御回路と、
前記一対の入力端子、前記電力変換回路、前記一対の出力端子、前記調光信号入力回路、及び前記制御回路を形成したプリント回路板と、
を備え、
前記プリント回路板上において前記調光信号入力回路と前記制御回路との間に形成された、導体からなるサージ吸収部を備える
ことを特徴とする点灯装置。
【請求項２】
前記調光信号入力回路は、前記外部装置が電気的に接続される調光信号入力端子を含む複数の第１回路部品と、前記プリント回路板に形成されて前記複数の第１回路部品同士を電気的に接続する第１導体と、から構成されており、前記複数の第１回路部品のうちの金属部分及び前記第１導体のうちで外気に露出する部分である第１露出導体部を有しており、
前記制御回路は、複数の第２回路部品と、前記プリント回路板に形成されて前記複数の第２回路部品同士を電気的に接続する第２導体と、から構成されており、前記複数の第２回路部品のうちの金属部分及び前記第２導体のうちで外気に露出する部分である第２露出導体部を有しており、
前記電力変換回路は、複数の第３回路部品と、前記プリント回路板に形成されて前記複数の第３回路部品同士を電気的に接続する第３導体と、から構成されており、前記複数の第３回路部品のうちの金属部分及び前記第３導体のうちで外気に露出する部分である第３露出導体部を有しており、
前記電力変換回路は、前記プリント回路板に形成されている入力側導体を介して前記一対の入力端子に電気的に接続され、前記プリント回路板に形成されている出力側導体を介して前記一対の出力端子に電気的に接続されており、
前記第１露出導体部と前記第２露出導体部とが、前記プリント回路板上において隣り合って配置されており、
前記サージ吸収部が、前記プリント回路板上において前記第１露出導体部と前記第２露出導体部との間に形成されている
ことを特徴とする請求項１記載の点灯装置。
【請求項３】
前記第１露出導体部と前記サージ吸収部との間の最短距離が、前記第１露出導体部と前記第２露出導体部との間の最短距離よりも短い
ことを特徴とする請求項２記載の点灯装置。
【請求項４】
前記サージ吸収部は、前記入力側導体、前記第３導体、及び前記出力側導体のうちの少なくとも何れか一つと電気的に接続されている
ことを特徴とする請求項２または３記載の点灯装置。
【請求項５】
前記調光信号入力回路から前記制御回路へ前記調光信号を伝送するフォトカプラを備え、
前記調光信号入力回路は、前記フォトカプラの発光素子を含み、
前記制御回路は、前記フォトカプラの受光素子を含む
ことを特徴とする請求項１〜４の何れか一項記載の点灯装置。
【請求項６】
請求項１〜５の何れか一項記載の点灯装置と、
前記点灯装置の前記一対の出力端子間に電気的に接続されて前記点灯装置により点灯される光源と、
を備える
ことを特徴とする照明器具。
【発明の詳細な説明】
【技術分野】
【０００１】
本発明は、点灯装置、及び照明器具に関し、より詳細には、外部からの調光信号で指示される調光レベルに基づき光源を点灯させる点灯装置、及びそれを備えた照明器具に関する。
【背景技術】
【０００２】
特許文献１には、照明器具に搭載されている点灯装置の回路パターン構造の一例が、開示されている。
【０００３】
特許文献１に記載の回路パターン構造では、調光回路等の電子回路が、プリント基板に実装されている。このプリント基板には、商用電源入力端子からの商用電源ラインと、端子及びラインからなる器具アース部と、調光信号入力端子から出ており調光回路へ調光信号を与えるための調光信号ラインと、が形成されている。商用電源ラインと器具アース部との距離は、器具アース部と調光信号ラインとの距離以下である。
【０００４】
特許文献１の回路パターン構造によれば、器具アース部からスパークオーバによってサージ電圧が生じた場合でも、商用電源ラインを調光信号ラインよりも器具アース部に近接させているためサージ電圧を商用電源ラインへ逃がすことができる。
【先行技術文献】
【特許文献】
【０００５】
【特許文献１】特開平５−２１１７１号
【発明の概要】
【発明が解決しようとする課題】
【０００６】
点灯装置では、調光信号入力端子に信号線を接続する等の作業の際に、作業者の体に帯電した静電気に起因して、プリント回路板の導体にサージ電流が流れる可能性がある。サージ電流が、制御回路を構成する集積回路等の搭載部品（半導体部品）を流れると、搭載部品が不具合を起こす可能性がある。
【０００７】
本発明の目的は、静電気に対する搭載部品の保護性能の向上を図ることが可能な点灯装置、及び照明器具を提供することにある。
【課題を解決するための手段】
【０００８】
本発明の一態様に係る点灯装置は、一対の入力端子と、電力変換回路と、一対の出力端子と、調光信号入力回路と、制御回路と、プリント回路板と、を備える。前記一対の入力端子は、外部電源から入力電力を受け取るよう構成される。前記電力変換回路は、前記入力電力を所望の直流電力に変換するよう構成される。前記一対の出力端子は、前記直流電力を光源に供給するよう構成される。前記調光信号入力回路は、調光レベルを指示する調光信号を外部装置から受け取るよう構成される。前記制御回路は、前記調光信号で指示される前記調光レベルに従って前記電力変換回路を制御して前記直流電力を前記調光レベルに応じた値に調整するよう構成される。前記プリント回路板には、前記一対の入力端子、前記電力変換回路、前記一対の出力端子、前記調光信号入力回路、及び前記制御回路が形成されている。前記点灯装置は、前記プリント回路板上において前記調光信号入力回路と前記制御回路との間に形成された、導体からなるサージ吸収部を備える。
【０００９】
本発明の一態様に係る照明器具は、前記点灯装置と、前記点灯装置の前記一対の出力端子間に電気的に接続されて前記点灯装置により点灯される光源と、を備える。
【発明の効果】
【００１０】
本発明は、静電気に対する搭載部品の保護性能の向上を図ることが可能となるという利点がある。
【図面の簡単な説明】
【００１１】
【図１】図１Ａは、本発明の一実施形態に係る点灯装置のプリント回路板の要部を第１面側から見た平面図である。図１Ｂは、同上の点灯装置のプリント回路板の上記要部の第２面側の部分を、第１面側から見た図である。
【図２】図２は、同上の点灯装置の側面図である。
【図３】図３は、同上の点灯装置の回路図である。
【図４】図４は、本発明の一実施形態に係る照明器具を上方から見た斜視図である。
【図５】図５は、同上の照明器具を下方から見た斜視図である。
【図６】図６は、同上の照明器具の断面図である。
【図７】図７は、同上の照明器具における電源ユニット及び取付板を示す分解斜視図である。
【図８】図８は、同上の照明器具の側面図である。
【発明を実施するための形態】
【００１２】
以下では、本実施形態の点灯装置１００及び照明器具１について、添付の図面を参照して説明する。ただし、以下の実施形態で説明する構成は本発明の一例にすぎない。本発明は、以下の実施形態に限定されず、本発明の効果を奏することができれば、設計等に応じて種々の変更が可能である。
【００１３】
まず、本実施形態の点灯装置１００を、図１Ａ〜図３を参照して説明する。図１Ａは、点灯装置１００に含まれるプリント回路板８００の要部を、第１面８０Ａ側から見た平面図である。図１Ｂは、上記要部の第２面８０Ｂ側の部分を、（樹脂基板を省略して）第１面８０Ａ側から見た図である。図２は、点灯装置１００の側面図である。図３は、点灯装置１００の回路図である。なお、図１Ａ、図１Ｂでは、プリント回路板８００に搭載される回路部品の一部、及び回路部品同士を電気的に接続する導体の一部のみを示している。また、図２では、プリント回路板８００に搭載される回路部品の一部のみを示している。
【００１４】
点灯装置１００は、光源ユニット（光源）２を点灯させるよう構成される。図３に示すように、点灯装置１００は、一対の入力端子１１と、一対の出力端子１２と、点灯回路４と、を備える。
【００１５】
一対の入力端子１１は、交流電源（外部電源）ＡＣに電気的に接続され、交流電源ＡＣから入力電力を受け取るよう構成される。交流電源ＡＣは、例えば商用交流電源である。また、一対の入力端子１１は、点灯回路４に電気的に接続されている。
【００１６】
一対の出力端子１２は、点灯回路４に電気的に接続されている。また、一対の出力端子１２は、光源ユニット（光源）２に電気的に接続されるよう構成される。光源ユニット２は、一対の出力端子１２を介して点灯回路４から受け取る電力によって点灯する。光源ユニット２については、後述する。
【００１７】
図３に示すように、点灯回路４は、電力変換回路４００と、調光信号入力回路４９と、制御回路４１と、を備えている。
【００１８】
電力変換回路４００は、一対の入力端子１１に電気的に接続されている。また、電力変換回路４００は、一対の出力端子１２に電気的に接続されている。電力変換回路４００は、一対の入力端子１１を介して交流電源ＡＣから入力電力を受け取り、受け取った入力電力を所望の直流電力に変換するよう構成される。電力変換回路４００は、生成した直流電力を一対の出力端子１２を介して光源ユニット２に与えるよう構成される。
【００１９】
調光信号入力回路４９は、外部装置に電気的に接続される調光信号入力端子４９０（図１Ａ参照）を備えている。外部装置は、例えば調光器である。外部装置（調光器）は、例えば、調光レベルに応じたオンデューティ比を有するＰＷＭ（Pulse Width Modulation）信号を、調光信号として出力する。調光信号入力回路４９は、調光レベルを指示する調光信号を、調光信号入力端子４９０を介して外部装置から受け取り、制御回路４１へ伝送する。
【００２０】
制御回路４１は、調光信号入力回路４９から、調光信号を受け取るよう構成される。制御回路４１は、電力変換回路４００に電気的に接続されている。制御回路４１は、調光信号で指示される調光レベルに従って電力変換回路４００を制御して、直流電力を調光レベルに応じた値に調整するよう構成される。
【００２１】
点灯回路４（電力変換回路４００、調光信号入力回路４９、及び制御回路４１）の回路構成について、図３を参照して説明する。
【００２２】
電力変換回路４００は、バックコンバータ４０、第１制御電源回路４２、第２制御電源回路４３、ＰＦＣ（Power Factor Correction：力率改善）回路４４、フィルタ回路４５、全波整流器４６、スピードアップ回路４７、ＰＦＣ駆動部４８等を備えている。なお、電力変換回路４００は、保護回路として、一対の入力端子１１とフィルタ回路４５との間にヒューズ４０１及びサージ吸収素子４０２（図１Ａ参照）を備えている。
【００２３】
図３に示すように、フィルタ回路４５は、（保護回路を介して）一対の入力端子１１間に電気的に接続されている。フィルタ回路４５は、交流電源ＡＣから供給される交流電圧・交流電流に重畳する高調波ノイズ、及びＰＦＣ回路４４で発生する高調波ノイズを除去するよう構成される。
【００２４】
全波整流器４６はダイオードブリッジを備える。全波整流器４６は、交流電源ＡＣから供給される交流電圧・交流電流を全波整流する。
【００２５】
ＰＦＣ回路４４は、従来周知の昇圧チョッパ回路であって、全波整流器４６で全波整流された脈流電圧を、この脈流電圧のピーク値よりも電圧値の高い直流電圧に変換することで力率を改善するよう構成される。このＰＦＣ回路４４は、インダクタＬ１とダイオードＤ１と平滑コンデンサＣ１が全波整流器４６の脈流出力端間に電気的に直列接続され、かつ、２つのスイッチング素子Ｑ１１、Ｑ１２の並列回路がダイオードＤ１と平滑コンデンサＣ１に電気的に並列接続される。なお、２つのスイッチング素子Ｑ１１、Ｑ１２は、電気的な特性が共通である半導体スイッチング素子であり、例えば、ＮチャネルのパワーＭＯＳＦＥＴ（metal-oxide-semiconductor field-effect transistor）である。つまり、このＰＦＣ回路４４は、２つのスイッチング素子Ｑ１１、Ｑ１２の並列回路を備えることにより、個々のスイッチング素子Ｑ１１、Ｑ１２に流す電流を減らして温度上昇を抑えるように構成されている。ただし、このＰＦＣ回路４４は、２つのスイッチング素子Ｑ１１、Ｑ１２が並列接続されている点を除けば、従来周知の回路構成を有しているので、詳細な動作の説明は省略する。以下の説明では、ＰＦＣ回路４４の出力電圧（平滑コンデンサＣ１の両端電圧）を、直流入力電圧Ｖｄｃと呼ぶ。
【００２６】
バックコンバータ４０は、降圧チョッパ回路とも呼ばれるスイッチング電源回路である。バックコンバータ４０は、ＰＦＣ回路４４から供給される数百ボルトの直流入力電圧Ｖｄｃを、光源ユニット２に必要とされる数十ボルトの直流電圧（以下、「出力電圧Ｖ１」と呼ぶ）に降圧するよう構成される。バックコンバータ４０は、２つのスイッチング素子Ｑ２１、Ｑ２２、インダクタＴ１、ダイオードＤ４、平滑コンデンサＣ３等で構成される。２つのスイッチング素子Ｑ２１、Ｑ２２は、ＰＦＣ回路４４の高電位側の出力端と、高電位側の出力端子１２との間に、インダクタＴ１を介して電気的に並列接続される。平滑コンデンサＣ３は電解コンデンサからなり、一対の出力端子１２間に電気的に接続される。すなわち、平滑コンデンサＣ３は、光源ユニット２と電気的に並列接続される。ダイオードＤ４のカソードは、スイッチング素子Ｑ２１、Ｑ２２の並列回路と、インダクタＴ１との接続点に電気的に接続される。ダイオードＤ４のアノードは、ＰＦＣ回路４４の低電位側の出力端（電力変換回路４００の基準電位となる接地ライン４０００）に電気的に接続される。なお、２つのスイッチング素子Ｑ２１、Ｑ２２は、電気的な特性が共通である半導体スイッチング素子（例えば、ＮチャネルのパワーＭＯＳＦＥＴ）である。また、ダイオードＤ４のアノードと平滑コンデンサＣ３の低電位側の端子との間に、検出抵抗Ｒ８が電気的に接続される。ただし、このバックコンバータ４０は、２つのスイッチング素子Ｑ２１、Ｑ２２が並列接続されている点を除けば、従来周知の回路構成を有しているので、詳細な動作の説明は省略する。
【００２７】
第１制御電源回路４２は、数百ボルトの直流入力電圧Ｖｄｃを、十数ボルト（例えば、１５ボルト）の直流電圧（以下、「第１制御電源電圧Ｖcc」と呼ぶ）に変換するよう構成される。第１制御電源回路４２は、例えば、バックコンバータやフライバックコンバータ等のスイッチング電源回路で構成される。
【００２８】
ここで、点灯回路４は、従来周知であるブートストラップ回路を備えている。ブートストラップ回路は、ブートストラップダイオードＤ２と、ブートストラップコンデンサＣ２と、複数の抵抗Ｒ２〜Ｒ６の直列回路（以下、「抵抗直列回路」と呼ぶ）とで構成される。ブートストラップダイオードＤ２は、アノードに第１制御電源電圧Ｖccが印加され、カソードにブートストラップコンデンサＣ２の一端が電気的に接続される。ブートストラップコンデンサＣ２の他端は、抵抗直列回路を介して接地ライン４０００と電気的に接続される。更に、抵抗Ｒ３〜Ｒ６は、バックコンバータ４０のダイオードＤ４と電気的に並列接続される。このブートストラップ回路は、バックコンバータ４０のスイッチング素子Ｑ２１、Ｑ２２のオフ期間に、第１制御電源電圧ＶccによってブートストラップコンデンサＣ２を充電するよう構成される。そして、ブートストラップコンデンサＣ２が充電されることにより、ブートストラップコンデンサＣ２の高電位側の端子から、スイッチング素子Ｑ２１、Ｑ２２の駆動電圧ＨＶccを得ることができる。
【００２９】
第２制御電源回路４３は、抵抗Ｒ７と、ダイオードＤ３と、ツェナーダイオードＺＤ１とで構成されている。抵抗Ｒ７の一端がＰＦＣ回路４４の高電位側の出力端と電気的に接続され、抵抗Ｒ７の他端が、ツェナーダイオードＺＤ１のカソード及びダイオードＤ３のアノードと電気的に接続される。ツェナーダイオードＺＤ１のアノードが、バックコンバータ４０のダイオードＤ４のカソードと電気的に接続される。そして、ダイオードＤ３のカソードが、ブートストラップコンデンサＣ２の高電位側の端子と電気的に接続される。
【００３０】
制御回路４１は、ＰＦＣ回路４４を制御する第１制御動作と、バックコンバータ４０を制御する第２制御動作とを実行するよう構成される。なお、このような制御回路４１は、例えば、第１制御動作を実行する回路と、第２制御動作を実行する回路と、を有する集積回路４１０（図１Ａ参照）等で構成される。
【００３１】
制御回路４１は、第１制御動作では、直流入力電圧Ｖｄｃを所望の目標値（例えば、４００ボルト程度の電圧）に維持するように、ＰＦＣ回路４４を動作させる。すなわち、制御回路４１は、直流入力電圧Ｖｄｃを抵抗分圧回路（抵抗Ｒ１、Ｒ２の直列回路）によって計測し、直流入力電圧Ｖｄｃの計測値に基づき、直流入力電圧Ｖｄｃを目標値に一致させるように、ＰＷＭ信号のオンデューティ比を調整する。このＰＷＭ信号は、ＰＦＣ駆動部４８に出力される。ＰＦＣ駆動部４８は、ＰＷＭ信号に応じて、例えば、２つのスイッチング素子Ｑ１１、Ｑ１２を同時にオン・オフ駆動する。
【００３２】
制御回路４１は、第２制御動作では、光源ユニット２に流す電流（負荷電流）Ｉ１を目標値に一致させるように、バックコンバータ４０を動作させる。すなわち、制御回路４１は、検出抵抗Ｒ８の両端電圧から負荷電流Ｉ１を計測し、負荷電流Ｉ１の計測値に基づき、負荷電流Ｉ１を目標値に一致させるように、ＰＷＭ信号である駆動信号のオンデューティ比を調整する。なお、制御回路４１は、調光信号入力回路４９を介して外部装置から与えられる調光信号に応じて、負荷電流Ｉ１の目標値を調整することにより、光源ユニット２を調光する。
【００３３】
ここで、制御回路４１の駆動信号は、それぞれスピードアップ回路４７を介して、バックコンバータ４０のスイッチング素子Ｑ２１、Ｑ２２のゲートに与えられる。各スピードアップ回路４７は、ＰＮＰ型のバイポーラトランジスタＴｒ１、ダイオードＤ５、抵抗Ｒ１７〜Ｒ１９等で構成される（図３参照）。抵抗Ｒ１７は、各スイッチング素子Ｑ２１、Ｑ２２のゲートとソースとの間に電気的に接続される。バイポーラトランジスタＴｒ１のエミッタがスイッチング素子Ｑ２１、Ｑ２２のゲートと電気的に接続され、バイポーラトランジスタＴｒ１のコレクタが抵抗Ｒ１８を介してスイッチング素子Ｑ２１、Ｑ２２のソースと電気的に接続される。また、バイポーラトランジスタＴｒ１のベースがダイオードＤ５のアノード及び抵抗Ｒ１９の一端と電気的に接続され、各スピードアップ回路４７の抵抗Ｒ１９の他端同士が制御回路４１の出力端子Ｈｏと電気的に接続される。
【００３４】
各スピードアップ回路４７は、出力端子Ｈｏからハイレベルの駆動信号が入力されると、バイポーラトランジスタＴｒ１がオフとなり、抵抗Ｒ１７を介して、スイッチング素子Ｑ２１、Ｑ２２のゲート・ソース間に駆動電圧ＨＶccを印加してターンオンさせる。また、各スピードアップ回路４７は、出力端子Ｈｏからの駆動信号が停止すると、バイポーラトランジスタＴｒ１がオンとなり、スイッチング素子Ｑ２１、Ｑ２２のゲートに蓄積されている電荷を放出させてターンオフさせる。つまり、各スピードアップ回路４７は、パワーＭＯＳＦＥＴからなるスイッチング素子Ｑ２１、Ｑ２２のターンオンを高速化するように構成されている。
【００３５】
また、制御回路４１は、第２制御動作において、インダクタＴ１と磁気結合されたインダクタＴ２に誘起される電圧（検出電圧）に基づいて、出力端子Ｈｏからハイレベルの駆動信号を出力するタイミングを決定している。例えば、制御回路４１は、前記検出電圧に基づいてインダクタＴ１に流れる電流（インダクタ電流）のゼロクロスを検出し、ゼロクロスに同期して駆動信号を出力するよう構成されることが好ましい。
【００３６】
調光信号入力回路４９は、外部装置からＰＷＭ信号（調光信号）を受け取り、制御回路４１へ伝送するよう構成される。制御回路４１は、受け取ったＰＷＭ信号（調光信号）を直流の電圧信号に変換するよう構成される。なお、制御回路４１で生成される電圧信号（調光信号）の信号レベル（直流電圧レベル）は、外部装置からのＰＷＭ信号で指示される出力レベル（調光レベル）に対応している。制御回路４１は、負荷電流Ｉ１の目標値を、電圧信号（調光信号）の信号レベル（調光レベル）に対応した値に調整する。
【００３７】
ここで、本実施形態の点灯回路４では、調光信号入力回路４９は、フォトカプラ９０を介して制御回路４１に調光信号を伝送するよう構成される。すなわち、制御回路４１は、調光信号入力回路４９と電気的に絶縁されており、調光信号入力回路４９から、フォトカプラ９０を介して調光信号を受け取るよう構成される。
【００３８】
また、本実施形態の点灯回路４は、タイマ回路を備えている。タイマ回路は、図３に示すように、抵抗Ｒ１３〜Ｒ１５とコンデンサＣ４のＣＲ積分回路で構成される。このタイマ回路は、抵抗Ｒ１３〜Ｒ１５の直列回路が平滑コンデンサＣ３及び検出抵抗Ｒ８と電気的に並列接続され、かつローサイドの抵抗Ｒ１５とコンデンサＣ４が電気的に並列接続されて構成される。コンデンサＣ４の両端電圧が、交流電源ＡＣの投入時点から徐々に上昇するので、制御回路４１は、コンデンサＣ４の両端電圧（以下、「タイマ信号」と呼ぶ）に基づいて、前記投入時点からの経過時間を知ることができる。なお、図３に示すように、タイマ回路には、抵抗Ｒ９〜Ｒ１２の直列回路が電気的に並列接続されてもよい。
【００３９】
また、本実施形態の点灯回路４では、制御回路４１のＧＮＤ端子（接地ライン４０００）は、ノイズ低減用の２つのコンデンサＣ１１、Ｃ１２の直列回路を介して接地されている。
【００４０】
次に、点灯装置１００の基本的な動作を説明する。
【００４１】
交流電源ＡＣが投入されると、第１制御電源回路４２が起動し、第１制御電源電圧Ｖccを生成する。第１制御電源電圧Ｖccが定格値（例えば、１５ボルト）に達すると、制御回路４１が起動して第１制御動作を実行する。なお、制御回路４１は、タイマ信号に基づき、交流電源ＡＣの投入時点からの経過時間を監視する。
【００４２】
制御回路４１が第１制御動作を実行すると、ＰＦＣ回路４４が動作して直流入力電圧Ｖｄｃが定格値に達する。また、第１制御電源電圧Ｖccが定格値に達すれば、ブートストラップ回路が正常に動作し、所定の駆動電圧ＨＶccが制御回路４１に与えられる。
【００４３】
制御回路４１は、タイマ信号に基づき、直流入力電圧Ｖｄｃが定格値に達してから所定時間が経過したと判断すれば、第２制御動作を開始する。制御回路４１が第２制御動作を開始すると、バックコンバータ４０の出力電圧Ｖ１が徐々に上昇し、光源ユニット２の点灯開始電圧を超えた時点から負荷電流Ｉ１が流れ始める。そして、制御回路４１は、負荷電流Ｉ１を一定値とするようにバックコンバータ４０を制御（フィードバック制御）する。ゆえに、点灯回路４は、光源ユニット２を所望の明るさ（光出力）で点灯させることができる。
【００４４】
上記の点灯回路４は、プリント配線板８０（図１Ａ、図１Ｂ、図２参照）に、複数種類の回路部品が実装されて構成される。本実施形態のプリント配線板８０は、両面に導体パターンがある両面プリント配線板である。複数種類の回路部品の各々は、複数の金属製のリードを有する。複数種類の回路部品の各々では、複数のリードが、プリント配線板８０の厚さ方向の一面側から、プリント配線板８０を厚さ方向に貫通する複数のスルーホールに挿入される。そして、複数のリードが、プリント配線板８０に形成されている導体にはんだ付けされる。これにより、複数種類の回路部品の各々が導体に電気的に接続される。
【００４５】
複数種類の回路部品は、調光信号入力回路４９を構成するための複数の第１回路部品８１１、制御回路４１を構成するための複数の第２回路部品８１２、及び電力変換回路４００を構成するための複数の第３回路部品８１３を含む。また、複数種類の回路部品は、一対の入力端子１１を備える入力コネクタ１１０、及び一対の出力端子１２を備える出力コネクタを含む。プリント配線板８０に、上記の複数種類の回路部品（複数の第１回路部品８１１、複数の第２回路部品８１２、複数の第３回路部品８１３、入力コネクタ１１０、出力コネクタ）が実装されて、プリント回路板８００が構成される（図１Ａ、図１Ｂ、図２参照）。
【００４６】
複数の第１回路部品８１１は、プリント回路板８００に形成されている第１導体８２１によって、電気的に接続されている。複数の第１回路部品８１１と第１導体８２１とで、調光信号入力回路４９が構成される。
【００４７】
図１Ａ、図１Ｂ、図２に示すように、複数の第１回路部品８１１は、外部装置からの信号線を電気的に接続するための調光信号入力端子４９０、ダイオードブリッジ４９１等を含む。調光信号入力端子４９０は、一対のリード４９０１を備える。一対のリード４９０１は、第１導体８２１に電気的に接続されている。ダイオードブリッジ４９１は、二対のリード（入力側の一対のリード４９１１、及び出力側の一対のリード４９１２）を備える。二対のリード４９１１、４９１２は、第１導体８２１に電気的に接続されている。
【００４８】
調光信号入力回路４９は、第１露出導体部を有している。第１露出導体部は、複数の第１回路部品８１１のうちの金属部分（リード）及び第１導体（はんだを含む）８２１のうちで、外気に露出する部分である。例えば、調光信号入力端子４９０のリード４９０１、ダイオードブリッジ４９１のリード４９１１、４９１２、及び、第１導体８２１のうちで絶縁性樹脂（ソルダーレジスト）により覆われていない部分等が、第１露出導体部である。
【００４９】
複数の第２回路部品８１２は、プリント回路板８００に形成されている第２導体８２２によって、電気的に接続されている。複数の第２回路部品８１２と第２導体８２２とで、制御回路４１が構成される。
【００５０】
図１Ａに示すように、複数の第２回路部品８１２は、集積回路４１０等を含む。集積回路４１０は、複数のリード４１０１を備える。複数のリード４１０１は、第２導体８２２に電気的に接続されている。
【００５１】
制御回路４１は、第２露出導体部を有している。第２露出導体部は、複数の第２回路部品８１２のうちの金属部分（リード）及び第２導体（はんだを含む）８２２のうちで、外気に露出する部分である。例えば、集積回路４１０のリード４１０１、及び、第２導体８２２のうちで絶縁性樹脂により覆われていない部分等が、第２露出導体部である。
【００５２】
複数の第３回路部品８１３は、プリント回路板８００に形成されている第３導体８２３によって、電気的に接続されている。複数の第３回路部品８１３と第３導体８２３とで、電力変換回路４００が構成される。
【００５３】
図１Ａに示すように、複数の第３回路部品８１３は、ヒューズ４０１及びサージ吸収素子４０２等を含む。ヒューズ４０１は、一対のリード４０１１を備える。一対のリード４０１１は、第３導体８２３に電気的に接続されている。サージ吸収素子４０２は、一対のリード４０２１を備える。一対のリード４０２１は、第３導体８２３に電気的に接続されている。
【００５４】
電力変換回路４００は、第３露出導体部を有している。第３露出導体部は、複数の第３回路部品８１３のうちの金属部分（リード）及び第３導体（はんだを含む）８２３のうちで、外気に露出する部分である。例えば、ヒューズ４０１のリード４０１１、サージ吸収素子４０２のリード４０２１、４０２２、及び、第３導体８２３のうちで絶縁性樹脂により覆われていない部分等が、第３露出導体部である。
【００５５】
なお、図１Ａ、図１Ｂでは、プリント回路板８００に形成されて外気に露出している導体（はんだを含む）を、ドットのハッチングで示している。
【００５６】
また、制御回路４１は、プリント回路板８００に形成されている導体（以下、「制御用導体」と呼ぶ）によって、電力変換回路４００と電気的に接続されている。例えば、集積回路４１０とスピードアップ回路４７、及び集積回路４１０とＰＦＣ駆動部４８は、それぞれ、異なる制御用導体によって電気的に接続されている。
【００５７】
一方、制御回路４１は、調光信号入力回路４９と電気的に絶縁されており、フォトカプラ９０を介して調光信号入力回路４９から調光信号を受け取るよう構成されている。フォトカプラ９０は、発光素子９１と受光素子９２とを備えている。発光素子９１は、例えば発光ダイオードであり、受光素子９２は、例えばフォトダイオードである。発光素子９１と受光素子９２とは、一つのパッケージ内に封入されている。ここにおいて、調光信号入力回路４９を構成するための複数の第１回路部品８１１は、フォトカプラ９０の発光素子９１を含んでいる。一方、制御回路４１を構成するための複数の第２回路部品８１２は、フォトカプラ９０の受光素子９２を含んでいる。
【００５８】
図１Ｂに示すように、フォトカプラ９０は、二対のリード（入力側の一対のリード９０１、及び出力側の一対のリード９０２）を備える。入力側の一対のリード９０１は、発光素子９１に電気的に接続されている。入力側の一対のリード９０１は、第１導体８２１に電気的に接続されている。また、出力側の一対のリード９０２は、受光素子９２に電気的に接続されている。出力側の一対のリード９０２は、第２導体８２２に電気的に接続されている。
【００５９】
発光素子９１が、調光信号入力回路４９からの調光信号（ＰＷＭ信号）のオンデューティ比で点灯と消灯とを繰り返し、受光素子９２が発光素子９１からの光を受け取ることで、調光信号入力回路４９から制御回路４１へ調光信号が伝送される。
【００６０】
入力コネクタ１１０は、プリント回路板８００に形成されている入力側導体８２４を介して、電力変換回路４００に電気的に接続されている。入力コネクタ１１０（一対の入力端子１１）には、例えば、後述の照明器具１の第１端子台３３を介して、外部の電源線が電気的に接続される。
【００６１】
出力コネクタは、プリント回路板８００に形成されている出力側導体８２５（図３参照）を介して、電力変換回路４００に電気的に接続されている。出力コネクタ（一対の出力端子１２）には、例えば、後述の照明器具１の出力ケーブルを介して光源ユニット２が電気的に接続される。
【００６２】
プリント回路板８００は、放熱用の金属板７０（図２参照）により保持されている。金属板７０において、プリント回路板８００と対向する面には、絶縁部材（絶縁シート）７５が配置されている。
【００６３】
図１Ａ、図１Ｂに示すように、プリント回路板８００上において、調光信号入力回路４９と制御回路４１とが隣り合って形成されている。すなわち、プリント回路板８００上において、第１回路部品８１１と第２回路部品８１２とは隣り合って配置されており、第１露出導体部と第２露出導体部とは、隣り合って配置されている。
【００６４】
ここにおいて本実施形態では、図１Ａに示すように、プリント回路板８００の第１面８０Ａにおいて、第１露出導体部（調光信号入力端子４９０のリード４９０１）と第２露出導体部（第２回路部品８１２）との間に、導体８２６が形成されている。導体８２６は、外気に露出している。導体８２６は、サージ吸収素子４０２の一方のリード４０２１と電気的に接続されている。そして導体８２６は、プリント回路板８００の、第２面８０Ｂ側においてダイオードブリッジ４９１が配置されている領域の第１面８０Ａ側の部分を通って、プリント配線板８０の端部（図１Ａの上端部）まで延びている。
【００６５】
導体８２６は、導体８２６と第１露出導体部との間の最短距離Ｌ１０が、第１露出導体部と第２露出導体部との間の最短距離Ｌ２０よりも短くなるように、形成されている。ここで言う露出導体部間の距離とは、露出導体部間の空間距離（物理的な距離）である。第１露出導体部と第２露出導体部との間の最短距離Ｌ２０とは、第１面８０Ａにおける第１露出導体部と第２露出導体部との間の最短距離と、第２面８０Ｂにおける第１露出導体部と第２露出導体部との間の最短距離とのうち、短い方である。本実施形態の点灯装置１００では、導体８２６と第１露出導体部との間の最短距離Ｌ１０は、調光信号入力端子４９０の一方のリード４９０１の周りの導体（はんだ）と導体８２６との間の空間距離である（図１Ａ参照）。また、本実施形態の点灯装置１００では、第１露出導体部と第２露出導体部との間の最短距離Ｌ２０は、調光信号入力端子４９０の一方のリード４９０１の周りの導体（はんだ）と、調光信号入力端子４９０の最も近くに配置されている第３回路部品８１３のリードとの間の空間距離である。
【００６６】
なお、本実施形態では、フォトカプラ９０の出力側のリード９０２と集積回路４１０とを電気的に接続する第２導体８２２（図１Ｂ参照）は、絶縁性樹脂（ソルダーレジスト）に覆われており、第１露出導体部と第２露出導体部との間の最短距離には寄与しない。また、本実施形態の点灯装置１００では、導体８２６と第１露出導体部（調光信号入力端子４９０のリード４９０１）との間の最短距離Ｌ１０が、フォトカプラ９０のリード９０１とリード９０２との間の距離（図１Ｂ参照）よりも短くなっている。
【００６７】
点灯装置１００では、例えば、調光信号入力回路４９に、第１露出導体部と第２露出導体部との間の空間距離で絶縁できないような、大きな電圧が印加される場合がある。例えば、調光信号入力端子４９０に信号線を結線する作業を行う際に、作業者が帯電している（静電気を帯びている）と、この静電気に起因してサージ電圧が発生し、作業者の指等から点灯装置１００（調光信号入力端子４９０）にサージ電流が流れる可能性がある。本実施形態の点灯装置１００では、このような場合であっても、静電気に起因するサージ電圧は、第１露出導体部（リード４９０１）と、第１露出導体部からの距離が第２露出導体部よりも近い導体８２６との間で発生することになる。したがって、制御回路４１には静電気によるサージ電流が流れにくくなっており、サージ電流によって不具合の起こりやすい制御回路４１（集積回路４１０）の保護性能の向上を図ることが可能となる。すなわち、本実施形態の導体８２６は、回路部品へのサージ電流の流れ込みを抑制するサージ吸収部として機能する。
【００６８】
次に、本実施形態の照明器具１について、図４〜図７を参照して説明する。以下では、特に断りの無い限り、照明器具１の上下、左右、前後の方向を、図４に図示されている上下、左右、前後の矢印を用いて規定して説明する。
【００６９】
本実施形態の照明器具１は、いわゆる高天井用の照明器具である。
【００７０】
本実施形態の照明器具１は、例えば図４に示すように、上記の点灯装置１００を含む電源ユニット３と、電源ユニット３により点灯される光源ユニット（光源）２と、電源ユニット３及び光源ユニット２を保持する器具本体６と、アーム５と、を備えている。
【００７１】
光源ユニット２は、ＬＥＤモジュール２０と、ユニットカバー２１と、放熱部材２２と、を有している（図４及び図６参照）。ＬＥＤモジュール２０は、矩形の基板２００の下面に複数個のＬＥＤ（Light Emitting Diode）が実装されて構成されている。これら複数個のＬＥＤは、例えば、照明用白色ＬＥＤであることが好ましい。
【００７２】
放熱部材２２は、ベース板２２０と、複数の放熱板２２１とで構成される。なお、ベース板２２０及び複数の放熱板２２１は、アルミ又はアミル合金の板材で形成されることが好ましい。ベース板２２０は、矩形の板状に形成されている。ベース板２２０の下面に、ＬＥＤモジュール２０が取り付けられている。ＬＥＤモジュール２０の基板２００は、複数個のＬＥＤが実装されている実装面（下面）を下に向けてベース板２２０にねじ止めされている（図６参照）。複数の放熱板２２１は、ベース板２２０の上面に、前後方向及び左右方向に並べて取り付けられている（図４参照）。すなわち、複数個のＬＥＤが発する熱は、ベース板２２０から複数の放熱板２２１に伝導され、複数の放熱板２２１から大気中に放熱される。
【００７３】
ユニットカバー２１は、透光性を有する合成樹脂（ポリカーボネート樹脂又はアクリル樹脂等）により、扁平な矩形の箱状に形成される。ユニットカバー２１は、ＬＥＤモジュール２０を覆い隠すようにベース板２２０の下面に取り付けられる（図６参照）。
【００７４】
器具本体６は、図４及び図５に示すように、取付板６０と、一対の側板６１と、一対の連結板６２とを有している。取付板６０は、亜鉛鋼板等の金属板によって矩形に形成されている。一対の側板６１はそれぞれ、前後方向から見て台形状に形成されている（図４〜図６参照）。ただし、各側板６１には、２つの通気孔６１０が設けられている。各側板６１は、厚み方向に貫通する２つの通気孔６１０の間に、アーム支持部６１１が設けられている。一対の連結板６２はそれぞれ、前後方向に長尺であり、前後方向から見た形状がＬ字形に形成されている（図６参照）。なお、一対の側板６１と一対の連結板６２とは、いずれも亜鉛鋼板等の金属板で形成されることが好ましい。一対の連結板６２によって、一対の側板６１の長い方の底辺（下辺）の長手方向の両端がそれぞれ連結されている。また、一対の側板６１の短い方の底辺（上辺）の上に、取付板６０が固定されている。器具本体６は、取付板６０、一対の側板６１並びに一対の連結板６２により、下面及び左右両面が開放された四角錐台形状に形成されている。光源ユニット２は、器具本体６の内部に収納され、一対の側板６１のそれぞれの下辺から突出する支持片６１２、並びに一対の連結板６２のそれぞれの下側の片６２０の上に、ベース板２２０を載せるようにして器具本体６に支持される（図４〜図６参照）。ここで、光源ユニット２のユニットカバー２１は、器具本体６の下面の開口６３を通して器具本体６の下面から下向きに突出する（図５参照）。
【００７５】
アーム５は、亜鉛鋼板等の金属板によって、幅の細いＵ字形状に形成されている（図４参照）。アーム５の長手方向の両端部の各々に一対のボルト挿通孔が貫通している。上側のボルト挿通孔は円形に形成され、下側のボルト挿通孔５０は円弧状の長円形に形成されている（図５参照）。アーム５は、上側のボルト挿通孔に挿通される第１ボルト５１により、第１ボルト５１を回転軸として、器具本体６の各側板６１が有するアーム支持部６１１に回転可能に支持される。ただし、アーム５の回転範囲は、下側のボルト挿通孔５０に挿通される第２ボルト５２がボルト挿通孔５０内を移動可能な範囲に限定されている。
【００７６】
電源ユニット３は、図６及び図７に示すように、ケース３０、カバー３１、点灯装置１００、第１端子台３３、第２端子台３４等を備えている。
【００７７】
点灯装置１００の出力コネクタ（出力端子１２）には、出力ケーブルが電気的に接続されている。この出力ケーブルは、器具本体６の取付板６０を上下方向に貫通している挿通孔６００（図６及び図７参照）を通してケース３０の外に引き出され、光源ユニット２のＬＥＤモジュール２０と電気的に接続される。点灯装置１００の一対の出力端子１２から出力される直流電力は、出力ケーブルを介してＬＥＤモジュール２０に供給される。なお、取付板６０の挿通孔６００には、出力ケーブルを保持するブッシング３２２が嵌め込まれている（図６参照）。
【００７８】
ケース３０は、亜鉛鋼板などの金属板で形成されている。ケース３０は、四辺形状（長方形状）の天板３００と、天板３００の４つの辺から下向きに突出する４つの側板（天板３００の右側の短辺、左側の短辺、前側の長辺、後側の長辺からそれぞれ突出する、第１〜第４の側板３０１〜３０４）とを有している。ケース３０の４つの側板３０１〜３０４は、天板３００の４つの辺と繋がった矩形の板材が下向きにほぼ直角に曲げ起こされることで天板３００と一体に形成されている。天板３００の下面に点灯装置１００が取り付けられている（図６参照）。
【００７９】
２つの端子台（第１端子台３３及び第２端子台３４）は、第１の側板３０１に取り付けられている。第１の側板３０１の前後方向のほぼ中央に、２つの挿通孔３０５が上下方向に並べて設けられている（図７参照）。
【００８０】
第１端子台３３は、電源線用の端子台であり、第１の側板３０１の外表面において、挿通孔３０５の前方に配置されている。ただし、第１端子台３３は、外部の電源線用の複数（６個）の第１差込口３３０を前方に向け、点灯装置１００の入力コネクタ１１０（入力端子１１）と結線される電線用の複数（６個）の第２差込口３３１を後方に向けるように配置される（図６及び図７参照）。
【００８１】
第２端子台３４は、信号線用の端子台であり、第１の側板３０１の外表面において、挿通孔３０５の後方に配置されている。ただし、第２端子台３４は、外部装置からの信号線用の複数（４個）の第１差込口３４０を後方に向け、点灯装置１００の調光信号入力端子４９０と結線される電線用の複数（４個）の第２差込口３４１を前方に向けるように配置される（図６及び図８参照）。上側の挿通孔３０５には、入力コネクタ１１０から延びて第１端子台３３の第２差込口３３１に差し込まれる電線が、挿通される。また、下側の挿通孔３０５には、調光信号入力端子４９０から延びて第２端子台３４の第２差込口３４１に差し込まれる電線が、挿通される。
【００８２】
ケース３０は、取付板６０に取り付けられる。詳しくは、第２の側板３０２の下端縁の前端及び後端に設けられている差込片３０２０を取付板６０のブリッジ６０２の下に差し込む。そして、第１の側板３０１の下端縁に設けられた第１固定片３０１０及び第２の側板３０２の下端縁に設けられている第２固定片３０２１を、取付板６０のねじ孔６０３、６０４にそれぞれねじ止めする。これにより、ケース３０が取付板６０に固定される（図４、図６及び図７参照）。
【００８３】
カバー３１は、亜鉛鋼板などの金属板により、底壁３１１がケース３０の第１の側板３０１とほぼ同寸法の矩形状である箱形に形成されている（図６参照）。底壁３１１の下辺における長手方向の中央から、矩形板状の固定部３１４が右向きに突出している。また、固定部３１４の中央に、円形のねじ挿通孔３１４０が貫通している。このねじ挿通孔３１４０には、固定ねじ３６のねじ部３６１が上から下に向かって挿通される。そして、固定ねじ３６は、固定部３１４の下面側において、ねじ部３６１にワッシャ３７が嵌め合わされてねじ挿通孔３１４０から抜け止めされる（図７参照）。
【００８４】
カバー３１の前後の側壁３１２、３１３の上端部には、上下方向を長手方向とする長円形の長孔からなる軸孔３１２０、３１３０がそれぞれ貫通している（図７参照）。そして、軸孔３１２０、３１３０に挿通された取付ねじ３５が、ケース３０の第３の側板３０３、第４の側板３０４の右上隅に設けられているねじ孔にそれぞれねじ込まれる。取付ねじ３５は、頭部とねじ部との間に、ねじ山のない円筒部を有しており、この円筒部の長さはカバー３１を形成する金属板の板厚よりも長い。これにより、カバー３１は、２本の取付ねじ３５（の円筒部）を回転軸として回転可能にケース３０に取り付けられる。また、２つの軸孔３１２０、３１３０が長円形の長孔であるので、カバー３１は、２つの軸孔３１２０、３１３０の長手方向に沿ってケース３０に対してスライド可能である。
【００８５】
上述のようにケース３０に取り付けられるカバー３１は、固定部３１４が器具本体６（の取付板６０）に接触して第１端子台３３及び第２端子台３４を覆う位置（閉位置；図４参照）と、第１端子台３３及び第２端子台３４を露出させる位置（開位置）との間で回転可能である。また、カバー３１は、閉位置において、取付板６０に設けられている雌ねじ部６０１（図７参照）に固定ねじ３６のねじ部３６１をはめ込ませることによって器具本体６にねじ止め（固定）される（図４参照）。
【００８６】
第１端子台３３の第１差込口３３０及び第２端子台３４の第１差込口３４０に対する外部の電線（電源線及び信号線）の結線作業は、例えば、照明器具１（器具本体６）を建物の所望の位置に取り付けた後に行われる。照明器具１は、例えば、体育館の天井の梁などにアーム５が固定されることで、体育館の天井に設置される。
【００８７】
ここにおいて、作業者が第２端子台３４の第１差込口３４０に信号線を結線する作業を行う際に、作業者が帯電している（静電気を帯びている）と、作業者の指等から、第２端子台３４を介して点灯装置１００に静電気によるサージ電流が流れる可能性がある。静電気により生じる電圧は、例えば１０ｋＶ程度に達することもあるため、例えばこの電流が制御回路４１の集積回路４１０を流れると、集積回路４１０が不具合を起こす可能性がある。
【００８８】
これに対し、本実施形態の点灯装置１００及び照明器具１では、調光信号入力回路４９（第１露出導体部）と制御回路４１（第２露出導体部）との間に、導体８２６が形成されている。このため、調光信号入力端子４９０に流れ込んだサージ電流は、第２露出導体部へ流れるよりも導体８２６へと流れやすくなっている。これにより、サージ電流が制御回路４１の集積回路４１０等へ流れにくくなり、集積回路４１０等の搭載部品の保護性能の向上を図ることが可能となる。
【００８９】
以下に、本実施形態の変形例のいくつかを列挙する。上記の実施形態及び以下の変形例は、適宜組み合わせて実施可能である。
【００９０】
上記の実施形態では、導体８２６は第３導体８２３と電気的に接続されているが、一変形例において、導体８２６は入力側導体８２４又は出力側導体８２５と電気的に接続されていてもよい。一変形例において、第３導体８２３（或いは、入力側導体８２４又は出力側導体８２５）は、第１導体８２１と第２導体８２２との間に位置するように、プリント回路板８００に形成されていてもよい。
【００９１】
一変形例において、プリント回路板８００の第２面８０Ｂにも、調光信号入力回路４９と制御回路４１との間に、導体からなるサージ吸収部を形成してもよい。
【００９２】
照明器具１は、高天井用の照明器具に限定されず、任意の照明器具であってもよい。一変形例において、照明器具１は、道路灯又は街路灯等の照明器具、壁面又は天井等に直付け又は埋込される照明器具、又は天井吊下げ型の照明器具等であってもよい。
【００９３】
以上説明した実施形態から明らかなように、第１の態様の点灯装置（１００）は、一対の入力端子（１１）と、電力変換回路（４００）と、一対の出力端子（１２）と、調光信号入力回路（４９）と、制御回路（４１）と、プリント回路板（８００）と、を備える。一対の入力端子（１１）は、外部電源（ＡＣ）から入力電力を受け取るよう構成される。電力変換回路（４００）は、入力電力を所望の直流電力に変換するよう構成される。一対の出力端子（１２）は、直流電力を光源（光源ユニット２）に供給するよう構成される。調光信号入力回路（４９）は、調光レベルを指示する調光信号を外部装置から受け取るよう構成される。制御回路（４１）は、調光信号で指示される調光レベルに従って電力変換回路（４００）を制御して直流電力を調光レベルに応じた値に調整するよう構成される。プリント回路板（８００）には、一対の入力端子（１１）、電力変換回路（４００）、一対の出力端子（１２）、調光信号入力回路（４９）、及び制御回路（４１）が形成されている。点灯装置（１００）は、プリント回路板（８００）において調光信号入力回路（４９）と制御回路（４１）との間に形成された、導体（８２６）からなるサージ吸収部を備える。
【００９４】
この構成によれば、作業者の指等から調光信号入力回路（４９）にサージ電流が流れ込んだとしても、このサージ電流は制御回路（４１）よりもサージ吸収部へと流れ込みやすい。これにより、サージ電流が調光信号入力回路（４９）から制御回路（４１）へと流れ込むのを抑制することができ、静電気に対する搭載部品の保護性能の向上を図ることが可能となる。
【００９５】
第２の態様の点灯装置（１００）では、第１の態様において、調光信号入力回路（４９）は、複数の第１回路部品（８１１）と、第１導体（８２１）と、から構成される。複数の第１回路部品（８１１）は、外部装置が電気的に接続される調光信号入力端子（４９０）を含む。第１導体（８２１）は、プリント回路板（８００）に形成されて複数の第１回路部品（８１１）同士を電気的に接続する。また、調光信号入力回路（４９）は、第１露出導体部を有している。第１露出導体部は、複数の第１回路部品（８１１）のうちの金属部分及び第１導体（８２１）のうちで、外気に露出する部分である。制御回路（４１）は、複数の第２回路部品（８１２）と、第２導体（８２２）と、から構成される。第２導体（８２２）は、プリント回路板（８００）に形成されて複数の第２回路部品（８１２）同士を電気的に接続する。また、制御回路（４１）は、第２露出導体部を有している。第２露出導体部は、複数の第２回路部品（８１２）のうちの金属部分及び第２導体（８２２）のうちで外気に露出する部分である。電力変換回路（４００）は、複数の第３回路部品（８１３）と、第３導体（８２３）と、から構成される。第３導体（８２３）は、プリント回路板（８００）に形成されて複数の第３回路部品（８１３）同士を電気的に接続する。また、電力変換回路（４００）は、第３露出導体部を有している。第３露出導体部は、複数の第３回路部品（８１３）のうちの金属部分及び第３導体（８２３）のうちで外気に露出する部分である。電力変換回路（４００）は、プリント回路板（８００）に形成されている入力側導体（８２４）を介して一対の入力端子（１１）に電気的に接続されている。電力変換回路（４００）は、プリント回路板（８００）に形成されている出力側導体（８２５）を介して一対の出力端子（１２）に電気的に接続されている。第１露出導体部と第２露出導体部とが、プリント回路板（８００）上において隣り合って配置されている。サージ吸収部（導体８２６）が、プリント回路板（８００）上において第１露出導体部と第２露出導体部との間に形成されている。
【００９６】
この構成によれば、作業者の指等から調光信号入力端子（４９０）を介して第１露出導体部（第１導体８２１）にサージ電流が流れ込んだとしても、このサージ電流は第２露出導体部（第２導体８２２等）よりもサージ吸収部へと流れ込みやすい。これにより、サージ電流が第１露出導体部から第２露出導体部へと流れ込むのを抑制することができ、静電気に対する搭載部品の保護性能の向上を図ることが可能となる。
【００９７】
第３の態様の点灯装置（１００）では、第２の態様において、第１露出導体部とサージ吸収部（導体８２６）との間の最短距離（Ｌ１０）が、第１露出導体部と第２露出導体部との間の最短距離（Ｌ２０）よりも短い。
【００９８】
この構成によれば、サージ電流が第１露出導体部から第２露出導体部へ流れ込むのを更に抑制することが可能となる。
【００９９】
第４の態様の点灯装置（１００）では、第２又は第３の態様において、サージ吸収部（導体８２６）は、入力側導体（８２４）、第３導体（８２３）、及び出力側導体（８２５）のうちの少なくとも何れか一つと電気的に接続されている。
【０１００】
この構成によれば、サージ電流を、制御回路（４１）の集積回路よりも耐電圧の高い回路部品で構成されている電力変換回路（４００）へと流すことができ、制御回路（４１）の保護性能の向上を図ることが可能となる。
【０１０１】
第５の態様の点灯装置（１００）は、第１〜第４の何れかの態様において、調光信号入力回路（４９）から制御回路（４１）へ調光信号を伝送するフォトカプラ（９０）を備える。調光信号入力回路（４９）は、フォトカプラ（９０）の発光素子（９１）を含む。制御回路（４１）は、フォトカプラ（９０）の受光素子（９２）を含む。
【０１０２】
この構成によれば、調光信号入力回路（４９）と制御回路（４１）とを電気的に絶縁することが可能となり、制御回路（４１）の保護性能の向上を図ることが可能となる。
【０１０３】
第６の態様の照明器具（１）は、第１〜第５の何れかの態様の点灯装置（１００）と、点灯装置（１００）の一対の出力端子（１２）間に電気的に接続されて点灯装置（１００）により点灯される光源（光源ユニット２）と、を備える。
【０１０４】
この構成によれば、作業者の指等から調光信号入力回路（４９）にサージ電流が流れ込んだとしても、このサージ電流は制御回路（４１）よりもサージ吸収部へと流れ込みやすい。これにより、サージ電流が調光信号入力回路（４９）から制御回路（４１）へと流れ込むのを抑制することができ、静電気に対する搭載部品の保護性能の向上を図ることが可能となる。
【符号の説明】
【０１０５】
１  照明器具
２  光源ユニット（光源）
１１  入力端子
１２  出力端子
４００  電力変換回路
４１  制御回路
４９  調光信号入力回路
４９０  調光信号入力端子
９０  フォトカプラ
９１  発光素子
９２  受光素子
８００  プリント回路板
８１１  第１回路部品
８１２  第２回路部品
８１３  第３回路部品
８２１  第１導体
８２２  第２導体
８２３  第３導体
８２４  入力側導体
８２５  出力側導体
８２６  導体（サージ吸収部）
１００  点灯装置
ＡＣ  外部電源
Ｌ１０  最短距離
Ｌ２０  最短距離
【図１】
2018166070.tif 000003
【図２】
2018166070.tif 000004
【図３】
2018166070.tif 000005
【図４】
2018166070.tif 000006
【図５】
2018166070.tif 000007
【図６】
2018166070.tif 000008
【図７】
2018166070.tif 000009
【図８】
2018166070.tif 000010